(57)【特許請求の範囲】
【請求項１】
同心円状又は螺旋状の記憶領域を有する光ディスクを扱う光ディスク装置において、
所定回転数で回転される光ディスク上にレーザビームを照射し、この反射波の波形パタンに応じた所定時間幅のデータ列を含む再生信号を検出する再生信号検出手段と、
与えられる誤差信号に基づいて等化係数を決定し、これに応じて再生信号検出手段が出力した前記再生信号を等化する再生信号等化手段と、
前記再生信号等化手段により等化された再生信号を、最尤復号器により復号化して再生信号を出力する最尤復号手段と、
前記最尤復号手段が出力する再生信号が有する所定時間幅のデータ列に対応した、前記所定時間幅でのデータ列を含む理想信号を作成する理想信号作成手段と、
前記再生信号等化手段から出力された再生信号が含む前記所定時間幅のデータ列と、前記理想信号作成手段が作成した理想信号が含む前記所定時間幅のデータ列とを比較して、この比較結果に基づき誤差信号を算出して前記再生信号等化手段に供給する誤差信号算出手段と、
前記最尤復号手段が出力する再生信号を受け、この中に反復パタンを検出したとき停止信号を生成しこれを、前記再生信号等化手段と、前記最尤復号手段と、前記再生信号検出手段から再生信号を受け所定処理を施して前記再生信号等化手段に供給する処理手段と、の中の少なくとも一つに供給し、これにより前記停止信号が供給された手段が行う処理をホールドさせる反復パタン検出手段と、
を具備することを特徴とする光ディスク装置。
【請求項２】
前記処理手段は、前記再生信号等化手段により等化された再生信号に関し中心レベルの理想値からのずれ量を計算し、これを再生信号から減算するオフセット制御手段と、
前記再生信号等化手段により等化された再生信号に関し、再生信号の増幅器の増幅率を可変させて振幅の変動を一定範囲とするゲイン制御手段とを有しており、
前記反復パタン検出手段は、再生信号の中に反復パタンを検出したとき停止信号を生成しこれを、前記オフセット制御手段と前記ゲイン制御手段と前記再生信号等化手段と前記最尤復号手段との全てに供給して、各処理のそれぞれをホールドさせることを特徴とする請求項１記載の光ディスク装置。
【請求項３】
前記反復パタン検出器は、前記最尤復号手段が出力する再生信号を受け、この中に反復パタンを検出すると停止信号を生成し、これを前記再生信号等化手段にのみ供給し、前記再生信号等化手段の処理をホールドさせることを特徴とする請求項１記載の光ディスク装置。
【請求項４】
前記反復パタン検出器は、前記最尤復号手段が出力する再生信号を受け、この中に反復パタンを検出すると停止信号を生成し、これを前記再生信号等化手段と前記誤差信号算出手段とにのみ供給し、前記再生信号等化手段の処理と前記誤差信号算出手段の処理とをホールドさせることを特徴とする請求項１記載の光ディスク装置。
【請求項５】
前記処理手段は、前記再生信号等化手段により等化された再生信号に関し中心レベルの理想値からのずれ量を計算し、これを再生信号から減算するオフセット制御手段と、
前記再生信号等化手段により等化された再生信号に関し、再生信号の増幅器の増幅率を可変させて振幅の変動を一定範囲とするゲイン制御手段（１５）とを有しており、
前記反復パタン検出手段は、再生信号の中に反復パタンを検出したとき停止信号を生成しこれを、前記オフセット制御手段と前記ゲイン制御手段とに供給して、各処理のそれぞれをホールドさせることを特徴とする請求項１記載の光ディスク装置。
【請求項６】
前記処理手段は、前記再生信号等化手段により等化された再生信号に関し中心レベルの理想値からのずれ量を計算し、これを再生信号から減算するオフセット制御手段と、
前記再生信号等化手段により等化された再生信号に関し、再生信号の増幅器の増幅率を可変させて振幅の変動を一定範囲とするゲイン制御手段とを有しており、
前記反復パタン検出手段は、再生信号の中に反復パタンを検出したとき停止信号を生成しこれを、前記オフセット制御手段と前記ゲイン制御手段と前記再生信号等化手段とに供給して、各処理のそれぞれをホールドさせることを特徴とする請求項１記載の光ディスク装置。
【請求項７】
前記再生信号検出手段から出力されたアナログ信号としての前記再生信号に関し、アナログ処理により中心レベルの理想値からのずれ量を計算し、これを再生信号から減算するアナログオフセット制御手段と、
前記アナログオフセット制御器によりずれ量を減算されたアナログ信号としての再生信号に関し、アナログ処理により再生信号の増幅器の増幅率を可変させて振幅の変動を一定範囲とした再生信号を出力するアナログゲイン制御手段と、
前記アナログゲイン制御手段からのアナログ信号としての再生信号を受け、デジタル信号に変換し前記再生信号等化手段供給するＡＤコンバータ手段と、
を更に有することを特徴とする請求項１記載の光ディスク装置。
【発明の詳細な説明】
【０００１】
【発明の属する技術分野】
本発明は、光ディスク装置であって、特にＰＲＭＬ方式を用いる光ディスク装置に関する。
【０００２】
【従来の技術】
最近、ＤＶＤ（Digital Versatile Disc）等の光ディスクに対する記録再生処理を行う光ディスク装置が広く普及してきており、様々な方式での開発が行われ製品化されている。例えば、光ディスク装置の記録再生処理の方式として、ＰＲＭＬ（Partial Response and Maximum Likelihood）方式があり、図１９はこの方式を用いた光ディスク装置の一般的構成を示している。
【０００３】
図１９において、光ディスクに記録された情報は、ＰＵＨ（ピックアップヘッド：Pick Up Head）を用いて微弱なアナログ信号として再生される。アナログ信号はプリアンプで増幅され十分な信号レベルとなった後、アナログのＡＦＣ（Auto Offset Controller、自動オフセット制御器、以下ＡＦＣとする）、アナログのＡＧＣ（Auto Gain Controller、自動利得制御器、以下ＡＧＣとする）でオフセットとゲインが調整され、続いて、ＡＤコンバータ（Analog to Digital Converter）でデジタル信号へ変換される。デジタル化された再生信号は、適応型等化器で誤差信号に応じて所定のＰＲ特性に近づくように等化された後、適応型ビタビ復号器で二値の復号データを得る。
【０００４】
又、図２０に適応型等化器に用いられる等化係数制御器の構成を示す。遅延器により位相調整された再生信号を遅延させるように縦続接続された４個の単位遅延素子と、これらの単位遅延素子の入出力と誤差信号との乗算を行う５個の乗算器と、乗算器の出力を各々累積加算する累積加算器と、累積加算器の出力に制御感度α（０＜α＜１）を乗じる乗算器と、乗算器の出力と等化器に設定されている現在の等化係数を加算する加算器、および現在の等化係数を保持するメモリから構成されている。
【０００５】
このように再生信号の変化に応じて等化係数を制御した等化器を適応等化器と呼び、適応等化器については、例えば、電子情報通信学会誌Ｖｏｌ.８１, Ｎｏ.５, ｐｐ.４９７-５０５（１９９８年５月）に開示されている。
【０００６】
更に図２１に適応型ビタビ復号器に用いられる参照レベル制御器の構成を示す。これにより、等化信号とビタビ復号器中のパスメモリから算出される生き残りパスとから、参照レベルを計算する。等化信号を生き残りパスを用いて、レベル毎に分割された複数のメモリに蓄積し、レベル毎にメモリに蓄積された値の平均値を求め、それを参照レベルとする。
【０００７】
次に図２２を用いて種々のＰＲ特性について説明する。図２２の（ａ）〜（ｄ）は、それぞれ記録データ、記録波形、ピット系列、再生波形を示す。図２２の（ｄ）の再生波形に対し、等化器でＰＲ（１，１）特性、ＰＲ（１，２，１）特性、ＰＲ（１，２，２，１）特性に基づく等化を行った場合の等化後の波形を図２２の（ｅ）、（ｆ）、（ｇ）にそれぞれ示す。ＰＲ（１，１）特性とは、インパルス応答が、連続する２識別点に各々１：１の割合で現れる特性をいう。ＰＲ（１，２，１）特性とは、インパルス応答が、連続する３識別点に各々１：２：１の割合で現れる特性をいう。ＰＲ（１，２，２，１）特性とは、インパルス応答が、連続する４識別点に各々１：２：２：１の割合で現れる特性をいう。図示しないが、他のＰＲ特性についても同様である。
【０００８】
図２２の（ｅ）、（ｆ）、（ｇ）に示した通り、ＰＲ（１，１）特性→ＰＲ（１，２，１）特性→ＰＲ（１，２，２，１）特性の順に等化後の波形は鈍った特性になっていることが分かる。ＰＲＭＬ方式では、再生波形の特性に近いＰＲ特性へ波形等化することにより、等化器での信号劣化成分の増加を抑制できる。
【０００９】
ＰＲＭＬ方式の再生信号処理系において、等化器の後に配置される検出器には、最尤復号器の代表的な一つであるビタビ復号器が一般に用いられる。等化器で再生波形はＰＲ（１，２，２，１）特性へ等化されたとすると、ビタビ復号器は、ＰＲ（１，２，２，１）特性を満たす全ての系列の中から等化信号のサンプル系列との誤差が最も小さい系列を選択し、選択された系列に対応する復号データを出力する。ＰＲＭＬ方式では、復号を１つのサンプル値から行なうのではなく、複数のサンプル値から行なうため、サンプル値間で相関を持たない信号劣化成分に対する耐性が強い。
【００１０】
このような光ディスク装置が扱う光ディスクでは、本来記録すべきデータの他に、ＰＬＬ（Phase Lock Loop）回路の引き込み等に利用されるＶＦＯ（Variable Frequency Oscillator、可変周波数発振器、以下、ＶＦＯとする）と呼ばれる反復パタンが記録されている。ＶＦＯのパタンとしては、００００１１１１００００１１１１…のいわゆる４Ｔ反復パタンが用いられる。記録密度が高い場合には、図２４で示すようにＶＦＯ部とデータ部とで再生信号エンベロープが異なる。
【００１１】
ところが、このように図２５の（ａ）で示す如くＶＦＯ部とデータ部とで再生信号エンベロープが異なる場合、自動ゲイン制御回路でＶＦＯ部の再生信号エンベロープを所定の振幅に増幅しようとするため、データ部開始直後の再生信号エンベロープが所定よりも大きくなり、図２５の（ｂ）に示すように識別性能の劣化を招いてしまう。
【００１２】
また、ＶＦＯ部とデータ部とでは再生信号特性が異なるため、図２５の（ｃ）に示す如く、等化係数を適応制御する場合、誤差信号のＲＭＳ（Root Mean Square）値が、ＶＦＯ部とデータ部とで大きく異なってしまう。このことは、等化係数制御の収束時間の増加や等化係数の発散を招き、更にＶＦＯ部とデータ部との再生信号特性の差は、参照レベル制御にも参照レベルの不安定性を招くという問題がある。
【００１３】
又更に、実際の再生信号には、図２６のグラフに示すようにアシンメトリと呼ばれる上下非対称性が含まれる。この場合、従来の自動ゲイン制御回路では、識別性能を最良とするレベルからずれたレベルをオフセットレベルとしてしまう。
【００１４】
【発明が解決しようとする課題】
すなわち従来の光ディスク装置においては、ＶＦＯ部とデータ部とで再生信号エンベロープが異なる場合、ＡＧＣで、ＶＦＯ部の再生信号エンベロープを所定の振幅に増幅しようとするため、データ部開始直後の再生信号エンベロープが所定よりも大きくなり、識別性能の劣化を招くという問題がある。
【００１５】
又、ＶＦＯ部とデータ部とでは再生信号特性が異なるため、等化係数を適応制御する場合、誤差信号のＲＭＳ（Root Mean Square）値が、ＶＦＯ部とデータ部とで大きく異なり、等化係数制御の収束時間の増加、あるいは、等化係数の発散を招き、ＶＦＯ部とデータ部との再生信号特性の差は、参照レベル制御にも参照レベルを不安定にするという問題がある。
【００１６】
又更に、実際の再生信号には、アシンメトリと呼ばれる上下非対称性が含まれ、従来のＡＧＣでは、識別性能を最良とするレベルからずれたレベルをオフセットレベルとしてしまうという問題がある。
【００１７】
又更に従来の光ディスク装置では、アナログのＡＦＣによるオフセット制御、アナログのＡＧＣによるゲイン制御を用いているため、デジタルによる制御値をＤＡ変換する必要があり、又、十分な高速制御を行うことができないという問題がある。
【００１８】
本発明は、再生信号の反復パタンを検出してＶＦＯ部を識別し各々の処理をホールドすることで、識別性能の劣化を抑制して動作安定性を得る光ディスク装置を提供することを目的としている。
【００１９】
【課題を解決するための手段】
本発明は、同心円状又は螺旋状の記憶領域を有する光ディスクを扱う光ディスク装置において、所定回転数で回転される光ディスク上にレーザビームを照射し、この反射波の波形パタンに応じた所定時間幅のデータ列を含む再生信号を検出する再生信号検出手段と、与えられる誤差信号に基づいて等化係数を決定し、これに応じて再生信号検出手段が出力した前記再生信号を等化する再生信号等化手段と、前記再生信号等化手段により等化された再生信号を、最尤復号器により復号化して再生信号を出力する最尤復号手段と、前記最尤復号手段が出力する再生信号が有する所定時間幅のデータ列に対応した、前記所定時間幅でのデータ列を含む理想信号を作成する理想信号作成手段と、前記再生信号等化手段から出力された再生信号が含む前記所定時間幅のデータ列と、前記理想信号作成手段が作成した理想信号が含む前記所定時間幅のデータ列とを比較して、この比較結果に基づき誤差信号を算出して前記再生信号等化手段に供給する誤差信号算出手段と、前記最尤復号手段が出力する再生信号を受け、この中に反復パタンを検出したとき停止信号を生成しこれを、前記再生信号等化手段と前記最尤復号手段と前記再生信号検出手段から再生信号を受け所定処理を施して前記再生信号等化手段に供給する処理手段との中の少なくとも一つに供給し、これにより前記停止信号が供給された手段の処理をホールドさせる反復パタン検出手段とを具備することを特徴とする光ディスク装置である。
【００２０】
本発明では、光ディスクのＶＦＯ部を検出する反復パタン検出器を設け、ＶＦＯ部検出時には、ＡＧＣ、等化係数制御、参照レベル制御等の処理をホールドすることにより識別性能の劣化を抑制することができる。また、アシンメトリが含まれた再生信号であっても、最適なオフセットレベルを計算して識別性能の劣化を抑制することができる。
【００２１】
更に本発明は、同心円状又は螺旋状の記憶領域を有する光ディスクを扱う光ディスク装置において、所定回転数で回転される光ディスク上にレーザビームを照射し、この反射波の波形パタンに応じた所定時間幅のデータ列を含む再生信号を検出する再生信号検出手段と、前記再生信号検出手段から再生信号を受けこれをデジタル信号であるデジタル再生信号にＡＤ変換するＡＤ変換手段と、与えられる誤差信号に対応して、前記ＡＤ変換手段により変換されたデジタル再生信号に関して、中心レベルの理想値からのずれ量を計算し、これをデジタル再生信号から減算するオフセット処理と、前記デジタル再生信号に関して、これの増幅器の増幅率を可変させて振幅の変動を一定範囲とするゲイン制御処理との少なくとも一方を行うデジタル処理手段と、所定の等化係数に基づいて、前記デジタル処理手段が出力した前記デジタル再生信号を等化する再生信号等化手段と、前記再生信号等化手段により等化されたデジタル再生信号を、最尤復号器により復号化してデジタル再生信号を出力する最尤復号手段と、前記最尤復号手段が出力するデジタル再生信号が有する所定時間幅のデータ列に対応した、前記所定時間幅でのデータ列を含む理想信号を作成する理想信号作成手段と、前記再生信号等化手段から出力された再生信号が含む前記所定時間幅のデータ列と、前記理想信号作成手段が作成した理想信号が含む前記所定時間幅のデータ列とを比較して、この比較結果に基づき誤差信号を算出して少なくとも前記デジタル処理手段に供給する誤差信号算出手段とを具備することを特徴とする光ディスク装置である。
【００２２】
本発明によれば、光ピックアップから与えられる再生信号をデジタルによりオフセット処理及びゲイン制御処理を施すことにより、従来のようにアナログのオフセット処理及びゲイン制御処理を行った場合に比べ、高速制御を行うことができる。更に、ＡＤ変換器の前段について、従来のアナログによるオフセット処理回路及びゲイン制御処理回路を使用することが可能なので、既成品への適用が容易となる。又、デジタル信号による制御値をオフセット処理回路及びゲイン制御処理回路に与える際にＤＡ変換を設ける必要がなくなる。
【００２３】
【発明の実施の形態】
以下、図面を用いて本発明に係るＰＲＭＬ再生信号処理装置を用いた光ディスク装置の実施形態を詳細に説明する。図１は本発明に係るＰＲＭＬ再生信号処理装置の第１の実施形態を示すブロック図、図２はＰＲＭＬ再生信号処理装置に用いられるパタン検出器を示すブロック図、図３は等化係数制御器を示すブロック図、図４は参照レベル制御器を示すブロック図、図５はオフセット制御器を示すブロック図、図６はゲイン制御器を示すブロック図である。
【００２４】
＜第１実施形態乃至第６実施形態：反復パタン識別＞
第１実施形態は、再生信号の中に反復パタンを検出することで、光ディスク内のＶＦＯ部を識別し、これに応じて再生信号の処理回路の処理を適宜ホールドすることで、データの識別性能の劣化を防止するＰＲＭＬ再生信号処理装置である。
【００２５】
図１に示された本発明に係る第１の実施形態としてのＰＲＭＬ再生信号処理装置１は、光ディスクＤの近傍に設けられる光ピックアップ１１と、ここから与えられる再生信号を適宜増幅するプリアンプ１２と、プリアンプ１２からのアナログ信号である再生信号をデジタル信号に変換するＡＤコンバータ１３とを有している。更にＡＤコンバータ１３から供給されるデジタル化された再生信号を受けオフセット処理を行うデジタル回路で構成されるＡＦＣ１４、同じくこれに接続されデジタル回路で構成されるゲイン制御を行うＡＧＣ１５、これに接続され再生信号の等化処理を行うデジタル回路として構成される適応型等化器１６、そして、これの後段としてＰＲＭＬ方式の復号器の一例として設けられる適応型ビタビ復号器１７とを有している。又更に、適応型ビタビ復号器１７からの再生信号を受け、理想信号を作成する理想信号作成回路１８、そして、理想信号作成回路８から受けた理想信号と適応型等化器１６からの再生信号とを受ける誤差信号算出器１９とを有しており、理想信号と誤差信号とはそれぞれ、ＡＦＣ１４、ＡＧＣ１５、適応型等化器１６、適応型ビタビ復号器１７に供給されるが、必ずしも全てに供給されなくとも、供給される範囲で各々の制御を安定にし、識別性能の劣化を抑制することができる。更に適応型ビタビ復号器１７からの再生信号を受けた反復パタン検出器２０からも停止信号がそれぞれ、ＡＦＣ１４、ＡＧＣ１５、適応型等化器１６、適応型ビタビ復号器１７に供給され、同様に、供給される範囲で各々の制御を安定にして識別性能の劣化を抑制するものである。
【００２６】
又更にＡＦＣ１４は、オフセット制御器２２と比較器２１とを有し、ＡＧＣ１５はゲイン制御器２４と増幅器２３とを有し、適応型等化器１６は等化係数制御器２６と等化器２５とを有し、適応型ビタビ復号器１７は参照レベル制御器２８とビタビ復号器２７とをそれぞれ有している。
【００２７】
このような構成によるＰＲＭＬ再生信号処理装置１の動作を以下に詳細に説明する。すなわち、光ディスクには、ｄ＝１のＲＬＬ符号を用いて情報が記録されている。また、ＶＦＯとして、４Ｔ繰り返し信号が記録されている。光ディスクに記録された情報は、ＰＵＨ１１を用いて微弱なアナログ信号として再生される。アナログ信号はプリアンプ１２で増幅され十分な信号レベルとなった後、ＡＤコンバータ１３でデジタル信号へ変換される。デジタル信号は、ＡＧＣ１４でゲイン制御、および、第１段のオフセット制御が行なわれる。続いて、後述する第２のオフセット制御が行なわれる。オフセット調整された再生信号は、適応型等化器１６でＰＲ（１，２，２，１）特性を満たすように等化される。等化信号から、ビタビ復号器１７により二値の復号データへと復号化される。
【００２８】
次に、理想信号作成回路１８により再生信号である復号データに基づき、理想信号を算出し、誤差信号算出器１９により理想信号と等化信号とから誤差信号を算出する。更に等化係数制御器２６では誤差信号と再生信号とを受けて、等化係数を算出する。また、参照レベル制御器２８では、誤差信号と理想信号とを受けて参照レベルを算出する。同様に、オフセット制御器２２では、誤差信号と理想信号とを受けてオフセット量を算出する。
【００２９】
ビタビ復号器１７からの復号データは反復パタン検出器２０へも送られ、反復パタン検出器２０では、復号データが４Ｔ反復パタンである場合には、停止信号を出力する。上述した等化係数制御器２６、参照レベル制御器２８、オフセット制御器２２、および、ＡＧＣ１５では、反復パタン検出器２０から停止信号が出力されている間は適応制御を停止し、直前の値をホールドする。４Ｔ反復パタン再生中は、各種適応制御を停止することにより、ＶＦＯ部とデータ部とで再生信号エンベロープが異なる場合でも、図２５で示したようなデータ部先頭でゲインがずれる現象を回避することができる。また、ＶＦＯ部とデータ部とで再生信号特性が異なる場合でも、等化係数、参照レベル、オフセット量の収束時間の増加、発散を抑制することが可能となる。
【００３０】
次に、図２に反復パタン検出器の構成の一例を示す。図２において、復号データを８×ｎ個の単位遅延素子３１で順次遅延し、８ビット毎のｎ個のデータをＡＮＤ回路３２およびＯＲ回路３３により計算する。ＡＮＤ結果とＯＲ結果につきＮＸＯＲ回路３４，３５の出力を計算すると、ｎ個のデータが全て一致していれば、ＮＸＯＲ結果は１になり、それ以外は０となる。８個のＮＸＯＲ出力につきＡＮＤ回路の計算結果により、ＡＮＤ結果を停止信号として出力する。
【００３１】
反復パタン検出器２０では、８ビット周期のパタンがｎ個以上連続して記録されている場合に、停止信号として“１”を出力し、それ以外の場合は“０”を出力する。ｎの値が小さいと、データ部に偶然出てくる反復パタンにも反応してしまう。逆に、ｎの値が大きいと、ＶＦＯ部中でエラーが発生した場合、ＶＦＯ部であるにも関わらず、各種適応制御が動作を再開してしまう。これらを考慮すると、４≦ｎ≦３２が適当な値であると言える。
【００３２】
次に、図３に等化係数制御器の構成の一例を示す。基本的な機能は図２０のものと共通した部分があるが、停止信号により誤差信号と“０”とが切り替えられる点が異なる。すなわち、等化係数制御器２６は、停止信号により誤差信号のスイッチングを制御するスイッチ素子３６と、再生信号を遅延する複数の遅延器３７及び３８と、複数の演算子３９及び累積加算器４０，そして、複数の比較器４１と記憶素子４２とを有している。
【００３３】
このような構成において、停止信号が“０”の時には、スイッチ素子３６は誤差信号側に接続され、通常の適応等化器として動作する。一方、停止信号が“１”の時には、スイッチ素子３６は接地側に接続され、等化係数がホールドされ、例えばＶＦＯ部においても動作安定性が得られる。
【００３４】
次に、図４に参照レベル制御器の構成の一例を示す。参照レベル制御器２８は、誤差信号を停止信号でスイッチングするスイッチ素子４５と、理想信号により電源電位をスイッチングするスイッチ素子４６，４７と、これにそれぞれ接続される複数のカウンタ４８及び累積加算器４９と、これらにそれぞれ接続される複数のスイッチ素子５０と、これらに接続される複数の増幅器５１と、これらに接続される複数の比較器５２と、これらにそれぞれ並列に接続される複数の記憶素子５３とを有している。
【００３５】
このような構成をもつ参照レベル制御器２８は、以下のように動作する。まず、停止信号が０の時の動作を述べる。誤差信号は、理想信号のレベルに対応してスイッチで振り分けられ、各々累積加算器４９に入力する。この時同時に各レベルの生起回数がカウンタ４８で数えられる。所定の時間毎に、レベル毎に累積加算結果を生起回数で除算し、除算結果に制御感度β（０＜β≦１）を乗算することで、更新値を求める。前回の参照レベルに更新値を加算することで、新しく参照レベルを算出する。ただし、参照レベルの初期値は各々０，１，２，３，４，５，６であり、電源投入時は、これらの値がメモリ５３に蓄えられている。参照レベルを更新する際には、カウンタ４８、および累積加算器４９をリセットする。停止信号が“１”の時、スイッチ素子４５により、誤差信号の代わりに“０”が選択される。その結果、累積加算器の値は“０”になり、参照レベルがホールドされることとなり、例えばＶＦＯ部においても動作安定性が得られる。
【００３６】
次に、図５にオフセット制御器の構成の一例を示す。オフセット制御器２２は、停止信号により誤差信号をスイッチングするスイッチ素子５７と、理想信号を受けた中心レベル検出器５５の出力によりそのスイッチングが制御されるスイッチ素子５８と、これの出力に接続される累積加算器５９とを有する。更に、中心レベル検出器５５の出力を受けるカウンタ５６と、累積加算器５９の出力をカウンタ５６の出力でスイッチングするスイッチ素子６０と、この出力を増幅する増幅器６１、更にメモリ６３に並列接続された比較器６２とを有している。
【００３７】
このような構成をもつオフセット制御器２２の動作を説明する。まず、停止信号が０の時の動作を述べる。誤差信号は、理想信号が中心レベル、つまり、レベル３の時にのみ、累積加算器５９へ送られる。この時同時に中心レベルの生起回数がカウント５６される。所定の時間毎に、累積加算値を生起回数で除算し、除算結果に制御感度γ（０＜γ≦１）を乗算することで、更新値を求める。前回のオフセット値に更新値を加算することで、新しくオフセット値を算出する。ただし、オフセット値の初期値は“０”であり、電源投入時は、“０”がメモリに蓄えられている。オフセット値を更新する際には、カウンタ５６、および累積加算器５９の値をリセットする。停止信号が“１”の時、スイッチ素子５７により、誤差信号の代わりに“０”が選択される。その結果、累積加算値は“０”になり、オフセット値がホールドされることなるため、例えばＶＦＯ部においても動作安定性が得られる。
【００３８】
これにより図５のオフセット制御器の使用によって、再生信号にアシンメトリが含まれている場合でも、最適なオフセット量が算出でき、その結果、識別性能の劣化を抑制することが可能となる。
【００３９】
以上、図４、５の比較から明らかなように、図５のオフセット制御器２２は、更新周期、更新感度、初期値を除いて、図４の参照レベル制御器２８のレベル３に対応する部分と同じである。オフセット制御器２２と参照レベル制御器２８の更新周期が同じである場合には、参照レベル制御器２８の一部をオフセット制御器２２として共用することができる。
【００４０】
更に図６にＡＧＣ回路の構成の一例を示す。すなわち、図６のＡＧＣ回路２４は、停止信号で誤差信号のスイッチングを行うスイッチ素子７４と、理想信号を受ける最小レベル検出器７２の出力によりスイッチングを行うスイッチ素子７５と、この出力を受ける累積加算器７６とを有している。更に最小レベル検出器７２の出力を受けるカウンタ７３とカウンタの出力により累積加算器７６のスイッチングを行うスイッチ素子７７とを有している。
【００４１】
同様に、停止信号で誤差信号のスイッチングを行うスイッチ素子６８と、理想信号を受ける最大レベル検出器６６の出力によりスイッチングを行うスイッチ素子６９と、この出力を受ける累積加算器７０とを有している。更に最大レベル検出器６６の出力を受けるカウンタ６７とカウンタの出力により累積加算器７０のスイッチングを行うスイッチ素子７１とを有している。
【００４２】
これら二つのスイッチ素子７１，７７の出力を比較する比較器７８と、この出力を増幅する増幅器７９、その出力とメモリ８２を経由した増幅器８０の出力とを比較する比較器８１とを有しており、この出力がゲインとして供給される。
【００４３】
このような構成を有するＡＧＣ回路２４は、以下のように動作するものである。すなわち、停止信号が“０”の時、再生信号から、オフセット値、信号振幅が計算され、これらの値を用いて、オフセット調整、ゲイン調整を行なう。停止信号が“１”の時、オフセット値、信号振幅がホールドされ、ホールドされた値でオフセット調整、ゲイン調整を行なう。これにより、例えばＶＦＯ部においても動作安定性が得られる。
【００４４】
以上説明したように、本発明に係るＰＲＭＬ再生信号処理装置では、復号データから反復パタンを検出し、反復パタン再生中は、等化係数、参照レベル、オフセットレベル、ゲインレベルをホールドすることにより、各々の制御を安定にし、識別性能の劣化を抑制することができる。
【００４５】
また、本発明に係るＰＲＭＬ再生信号処理装置では、復号データと等化信号とを用いて中心レベルのオフセット量を算出し、算出されたオフセット量を用いて、再生信号のオフセット調整をすることで、識別性能の劣化を抑制することができる。
【００４６】
上述した実施形態では、反復パタンの周期は８ビットとしたが、他の繰り返し周期にも適用することができる。
【００４７】
又、上述した実施形態では、等化係数制御、参照レベル制御、オフセット制御、ゲイン制御を行なったが、全てを同時に行う必要はなく、これらの一部だけを上述したように使用することも可能である。
【００４８】
又、上述した実施形態では、ＰＲ（１，２，２，１）特性、ｄ＝１のＲＬＬ符号の例を示したが、他のＰＲ特性、ＲＬＬ符号を使用した場合でも本発明は適用することができ、同様の作用効果を発揮することができる。
【００４９】
第２実施形態は、反復パタン検出器からの停止信号を適応型等化器のみに供給したことを特徴とするＰＲＭＬ再生信号処理装置である。図７は本発明に係るＰＲＭＬ再生信号処理装置の第２の実施形態を示すブロック図である。図７において、図１のＰＲＭＬ再生信号処理装置とは異なり、適応型ビタビ復号器に代わり、外部から理想信号や誤差信号や反復パタン検出器２０からの停止信号を受けない固定ビタビ復号器１０２が用いられており、与えられた定数により復号処理を行うものである。更に、図１の場合にデジタル回路として与えられているＡＦＣ及びＡＧＣは、アナログＡＦＣ１０６及びアナログＡＧＣ１０７として設けられており、その他の構成は共通したものである。
【００５０】
このような構成において、適応型等化器１６は、ＶＦＯ部での処理においては、反復パタン検出器２０からの停止信号を受けることで、停止信号が“０”の時には図３のスイッチ素子３６は誤差信号側に接続され、通常の適応等化器として動作する。一方、停止信号が“１”の時には、スイッチ素子３６は接地側に接続され、等化係数がホールドされることで、例えばＶＦＯ部においても動作安定性を得ることが可能である。このように、本発明に係る反復パタン検出器と停止信号の働きは必ずしも複数の処理部に供給される必要はなく、適応型等化器１６のみに働きかけるものであってもその範囲での作用効果を有するものである。
【００５１】
第３実施形態は、反復パタン検出器からの停止信号を適応型等化器及び適応型ビタビ復号器に供給したことを特徴とするＰＲＭＬ再生信号処理装置である。図８は本発明に係るＰＲＭＬ再生信号処理装置の第３の実施形態を示すブロック図である。図８が示すＰＲＭＬ再生信号処理装置は、図１のものとは異なり、図１でデジタル回路として与えられているＡＦＣ及びＡＧＣは、アナログＡＦＣ１０６及びアナログＡＧＣ１０７として設けられており、その他の構成は共通したものである。
【００５２】
このような構成においても、本発明に係る反復パタン検出器からの停止信号に応じて、適応型等化器及び適応型ビタビ復号器について、停止信号が“１”の時には、それぞれ等化係数及び参照レベルがホールドされることで、例えばＶＦＯ部においても動作安定性を得ることが可能となる。
【００５３】
第４実施形態は、反復パタン検出器からの停止信号をＡＦＣ１４及びＡＧＣ１５にのみ供給し、等化器及びビタビ復号器をそれぞれ固定型としたことを特徴とするＰＲＭＬ再生信号処理装置である。図９は本発明に係るＰＲＭＬ再生信号処理装置の第４の実施形態を示すブロック図である。図９が示すＰＲＭＬ再生信号処理装置は、図１のものとは異なり、図１では適応型として与えられていた等化器及びビタビ復号器に代わり、固定型等化器１０１と固定型ビタビ復号器１０２とが設けられており、その他の構成は共通したものである。
【００５４】
このような構成においても、本発明に係る反復パタン検出器からの停止信号に応じて、停止信号が“０”の時は、再生信号からオフセット値と信号振幅が計算され、これらの値を用いて、オフセット調整、ゲイン調整を行なう。停止信号が“１”の時は、オフセット値と信号振幅がホールドされ、ホールドされた値でオフセット調整、ゲイン調整を行なう。これにより、例えばＶＦＯ部においても動作安定性を得ることが可能となる。
【００５５】
第５実施形態は、反復パタン検出器からの停止信号をＡＦＣ１４、ＡＧＣ１５、適応型等化器に供給し、ビタビ復号器を固定型としたことを特徴とするＰＲＭＬ再生信号処理装置である。図１０は本発明に係るＰＲＭＬ再生信号処理装置の第５の実施形態を示すブロック図である。図１０が示すＰＲＭＬ再生信号処理装置は、図１のものとは異なり、図１では適応型として与えられていたビタビ復号器に代わり、固定型ビタビ復号器とが設けられており、その他の構成は共通したものである。
【００５６】
このような構成においても、第１実施形態と共通して、停止信号が与えられた処理回路について、適宜、制御値がホールドされ、ホールドされた値でオフセット調整、ゲイン調整、等化処理を行なう。これにより、例えばＶＦＯ部においても動作安定性を得ることが可能となる。
【００５７】
第６実施形態は、第１実施形態と同様に反復パタン検出器からの停止信号をＡＦＣ１４、ＡＧＣ１５、適応型等化器、適応型ビタビ復号器へと供給したＰＲＭＬ再生信号処理装置であるが、デジタル回路領域の前段にアナログＡＦＣ及びアナログＡＧＣが設けられていることを特徴としている。
【００５８】
図１１は本発明に係るＰＲＭＬ再生信号処理装置の第６の実施形態を示すブロック図である。図１１が示すＰＲＭＬ再生信号処理装置は、図１のものとは異なり、デジタル回路のＬＳＩ等で構成されるデジタル回路領域、この場合、ＡＦＣ１４以降のデジタル回路を一体として形成される領域の前段に、通常、アナログ回路のＬＳＩ等の回路として設けられるアナログ回路領域の中に、アナログＡＦＣ１０６、アナログＡＧＣ１０７を設けていることが特徴となる。すなわち、従来品として設計されたアナログＬＳＩと、新たな本発明の特徴を有するデジタルＬＳＩとを組み合わせて構成しても、動作上差し支えないため、このような構成が表れる可能性は高い。
【００５９】
このような構成においても、本発明は第１実施形態と同等の作用効果を発揮するものであり、例えば光ディスクのＶＦＯ部においても動作安定性を得ることが可能なＰＲＭＬ再生信号処理装置を提供することができる。
【００６０】
なお、この場合の従来のオフセット制御器・ゲイン制御器と本発明のオフセット制御器・ゲイン制御器とを組み合わせた図１１の構成、更に後述する図１５、図１６、図１７の構成について、以下のような仕様をもつことが好適である。
【００６１】
すなわち、従来のアナログ回路であるオフセット制御器と本発明のデジタル回路であるオフセット制御器、及び、従来のアナログ回路であるゲイン制御器と本発明のデジタル回路であるゲイン制御器の制御帯域を変えることにより、識別データの信頼性が向上する。具体的には、従来のオフセット制御器、ゲイン制御器の制御帯域を各々BWafc１,BWagc１とし、本発明のオフセット制御器、ゲイン制御器の制御帯域を各々BWafc２,BWagc２としたとき、
２＜BWafc２／BWafc１＜１０００
２＜BWagc２／BWagc１＜１０００
となるように制御帯域を決定する。これにより、識別データの信頼性を向上させることが可能となる。
【００６２】
＜第７実施形態乃至第１２実施形態：デジタルＡＦＣ・ＡＧＣ＞
第７実施形態は、本発明に係るデジタル回路で構成されたＡＦＣ及びＡＧＣを用いるＰＲＭＬ再生信号処理装置である。なお、第７実施形態以降の実施形態は、第１実施形態で必須とされた反復パタン検出器を用いるものではない。
【００６３】
図１２は本発明に係るデジタルＡＦＣ及びＡＧＣを用いたＰＲＭＬ再生信号処理装置の第７の実施形態を示すブロック図である。図１２において、第４実施形態を示した図９と基本的な構成は共通しているが、反復パタン検出器２０が設けられていないことを相違点としている。
【００６４】
このような構成により、本発明に係るデジタルＡＦＣ及びＡＧＣを設けることによって、以下のような作用効果を発揮するものである。すなわち、理想信号作成回路１８からの理想信号や、誤差信号算出器１９からの誤差信号は、デジタル信号の制御信号として与えられているため、従来のアナログ回路としてのＡＦＣ及びＡＧＣでは必要であるＤＡ変換の必要が無くなる。又更に、デジタル回路によるＡＦＣ及びＡＧＣとすることで、アナログ回路によるＡＦＣ及びＡＧＣに比べて高速処理を可能とする。又更に、本発明のデジタルＡＦＣ及びＡＧＣを従来のシステムに新たに導入する場合も、ＡＤ変換器前段にアナログ回路としてのＡＦＣ及びＡＧＣが存在するタイプのものにも適用が可能となる。
【００６５】
これにより、ＡＦＣ１４は、光ディスクからの再生信号の中心変動に追従し、出力信号のＤＣ成分がゼロになるようにオフセット量を可変制御する。更に、ＡＧＣ１５は、光ディスクからの再生信号の時々刻々と変動する振幅変動に追従し、出力信号の振幅が一定になるように増幅率を可変制御するものである。
【００６６】
第８実施形態は、同様にデジタル回路で構成されたＡＦＣ及びＡＧＣを用いるＰＲＭＬ再生信号処理装置であり、誤差信号算出器からの誤差信号をＡＦＣ及びＡＧＣに加えて適応型等化器１６にも供給する形態をとるものである。図１３はこれを示すものであり、適応型等化器１６にも誤差信号算出器からの誤差信号が供給される構造を示している。この構成においても第７実施形態と同様の作用効果を示すものである。
【００６７】
第９実施形態は、同様にデジタル回路で構成されたＡＦＣ及びＡＧＣを用いるＰＲＭＬ再生信号処理装置であり、誤差信号算出器からの誤差信号をＡＦＣ及びＡＧＣに加えて適応型等化器１６と適応型ビタビ復号器１７にも供給する形態をとるものである。図１４はこれを示すものであり、適応型等化器１６と適応型ビタビ復号器１７にも誤差信号算出器からの誤差信号が供給される構造を示しており、この構成においても第７実施形態及び第８実施形態と同様に、アナログ回路のＡＦＣ及びＡＧＣに比べて、ＤＡ変換器を不要とし高速処理を可能とする。
【００６８】
第１０実施形態は、第７実施形態に加えて、従来型のアナログＡＦＣ及びアナログＡＧＣを用いた従来品に本発明のデジタルＡＦＣ及びＡＧＣを適用させた形態を示すものである。図１５に示すこの構成においても第７実施形態等と同様に、アナログ回路のＡＦＣ及びＡＧＣに比べて、ＤＡ変換器を不要とし高速処理を可能とする。
【００６９】
第１１実施形態は、第８実施形態に加えて、従来型のアナログＡＦＣ及びアナログＡＧＣを用いた従来品に本発明のデジタルＡＦＣ及びＡＧＣを適用させた形態を示すものである。図１６に示すこの構成においても第７実施形態等と同様に、アナログ回路のＡＦＣ及びＡＧＣに比べて、ＤＡ変換器を不要とし高速処理を可能とする。
【００７０】
第１２実施形態は、第９実施形態に加えて、従来型のアナログＡＦＣ及びアナログＡＧＣを用いた従来品に本発明のデジタルＡＦＣ及びＡＧＣを適用させた形態を示すものである。図１７に示すこの構成においても第７実施形態等と同様に、アナログ回路のＡＦＣ及びＡＧＣに比べて、ＤＡ変換器を不要とし高速処理を可能とする。
【００７１】
以上、第７実施形態乃至第１２実施形態に関して、本発明に係るデジタル回路で構成されたＡＦＣ及びＡＧＣを用いることで、従来品のアナログ回路のＡＦＣ及びＡＧＣのＬＳＩ等への適用を容易とし、ＤＡ変換器を用いずにデジタル制御信号の各処理回路への供給を可能としながら、高速処理を実現するＰＲＭＬ再生信号処理装置とこれを用いた光ディスク装置を提供することができる。
【００７２】
＜本発明のＰＲＭＬ再生信号処理装置が適用される光ディスク装置＞
（基本構成）
図１８は、本発明に係るＰＲＭＬ再生信号処理装置が適用される光ディスク装置の全体の構成を示す図である。この図において、光ディスク装置Ａは光ディスクＤに対するデータ記録又はデータ再生を行うものである。上記光ディスク装置Ａは、ディスクカートリッジに収納された光ディスクＤを搬送するトレー１３２と、このトレーを駆動するモータ３３と、光ディスクＤを保持するクランパ１３４と、これにより保持された光ディスクＤを所定回転数で回転させるスピンドルモータ１３５とを有している。更に、制御部として全体の動作制御を行うＣＰＵ１４６と、この制御動作の基本的なプログラム等を格納するＲＯＭ１４７と、各制御プログラムやアプリケーションデータ等を書替可能に格納するＲＡＭ１４８とが制御バスを介して接続されている。更にこれらのＣＰＵ１４６等の制御部にそれぞれ接続されて、ピックアップＰＵの搬送を行う送りモータ１３６と、ピックアップのフォーカスやトラッキング制御を行うフォーカス／トラッキングアクチュエータドライバ／送りモータドライバ１４０、更にスピンドルモータ１３５を駆動するスピンドルモータドライバ１４１、トレーモータを駆動するトレーモータドライバ１４２がそれぞれ設けられている。
【００７３】
又更に、ピックアップＰＵに接続され検出信号を増幅するプリアンプ１２と、ピックアップＰＵとプリアンプ１２、検出信号及び記録信号を処理するためのデータ処理ユニット３、この各種処理に用いるデータを格納するためのＲＡＭ１４３が設けられている。このデータ処理ユニット３からの信号を外部装置との間で送受信するべく、インタフェース制御部１４５がＲＡＭ１４４を伴って設けられている。
【００７４】
このような光ディスク装置において、本発明では図１８に示すようなデータ処理ユニット３内に、上述した図１等のＡＦＣ１４，ＡＧＣ１５，適応型等化器１６，適応型ビタビ復号器１７，理想信号作成回路１８，誤差信号算出器１９，反復パタン検出器２０等を含めて構成することで、上述した第１実施形態乃至第１２実施形態をそれぞれ実現する光ディスク装置を可能とするものである。
【００７５】
（処理動作）
このような構成を有する本発明の実施に設けられる光ディスク装置は、以下のように光ディスクの再生処理及び記録処理を行う。すなわち、光ディスクＤが光ディスク装置Ａへ装填されると、ピックアップＰＵとデータ処理ユニット３を用いて、光ディスクＤのリードインエリアのエンボスデータゾーン内のコントロールデータゾーンに記録されている光ディスクＤの制御情報が読み取られ、ＣＰＵ１４６に供給されるようになっている。
【００７６】
本発明の光ディスク装置Ａでは、ユーザの操作による操作情報や光ディスク内のコントロールデータゾーンに記録されている光ディスクＤの制御情報、現在のステータス等に基づいて、ＣＰＵ１４６の制御下において、図示しないレーザ制御ユニットによって付勢されてレーザビームを発生する。
【００７７】
発生したレーザビームは、対物レンズ１３１により収束され、ディスクの記録領域へと照射される。これにより、光ディスクＤの記憶領域にデータが記録され（マーク列の生成：可変長のマークとマークの間隔と、可変長の各マークの長さにより光ディスクＤにデータが記録される）、或いは、格納されているデータに対応する反射波が反射されこれが検出されて、このデータの再生が行われる。
【００７８】
又、光ディスクＤが対物レンズ１３１に対向して配置されるように、この光ディスクＤは、直接或いはディスクカートリッジに収納されてトレー１３２によって装置内に搬送される。このトレー１３２を駆動するためのトレーモータ１３３が装置内に設けられている。また、装填された光ディスクＤは、クランパ１３４によって回転可能にスピンドルモータ１３５上に保持され、このスピンドルモータ１３５によって所定回転数に回転される。
【００７９】
ピックアップＰＵは、その内にレーザビームを検出する光検出器（図示せず）を有している。この光検出器は、光ディスクＤで反射されて対物レンズ１３１を介して戻されたレーザビームを検出する。光検出器からの検出信号（電流信号）は、電流／電圧変換器（Ｉ／Ｖ）で電圧信号に変換され、この信号は、プリアンプ１２及びサーボアンプ１３４に供給される。プリアンプ１２からは、ヘッダ部のデータの再生用と記録領域のデータの再生用信号がデータ処理ユニット３に出力される。
【００８０】
ここで、フォーカスずれ量を光学的に検出する方法としては、たとえば次のような非点収差法やナイフエッジ法がある。非点収差法、すなわち、光ディスクＤの光反射膜層または光反射性記録膜で反射されたレーザ光の検出光路に非点収差を発生させる光学素子（図示せず）を配置し、光検出器上に照射されるレーザ光の形状変化を検出する方法である。光検出領域は対角線状に４分割されている。各検出領域から得られる検出信号に対し、図示しないサーボシーク制御ユニット内で対角和間の差を取ってフォーカスエラー検出信号（フォーカス信号）を得る。又、ナイフエッジ法、すなわち、光ディスクＤで反射されたレーザ光に対して非対称に一部を遮光するナイフエッジを配置する方法である。光検出領域は２分割され、各検出領域から得られる検出信号間の差を取ってフォーカスエラー検出信号を得る。通常、上記非点収差法あるいはナイフエッジ法のいずれかが採用される。
【００８１】
光ディスクＤはスパイラル状または同心円状のトラックを有し、トラック上に情報が記録される。このトラックに沿って集光スポットをトレースさせて情報の再生または記録／消去を行う。安定して集光スポットをトラックに沿ってトレースさせるため、トラックと集光スポットの相対的位置ずれを光学的に検出する必要がある。
【００８２】
トラックずれ検出方法としては一般に、次の位相差検出法、プッシュプル法、ツインスポット法等がある。位相差検出（Differential Phase Detection）法、すなわち、光ディスクＤの光反射膜層または光反射性記録膜で反射されたレーザ光の光検出器上での強度分布変化を検出する。光検出領域は対角線上に４分割されている。各検出領域から得られる検出信号に対し、サーボシーク制御ユニット３９内で対角和間の位相差を取ってトラックエラー検出信号（トラッキング信号）を得る。又、プッシュプル（Push-Pull ）法、すなわちこの方法においては、光ディスクＤで反射されたレーザ光の光検出器上での強度分布変化を検出する。光検出領域は２分割され、各検出領域から得られる検出信号間の差を取ってトラックエラー検出信号を得る。又、ツインスポット（Twin-Spot ）法、すなわち、半導体レーザ素子と光ディスクＤ間の送光系に回折素子などを配置して光を複数に波面分割し、光ディスクＤ上に照射する±１次回折光の反射光量変化を検出する。再生信号検出用の光検出領域とは別に＋１次回折光の反射光量と−１次回折光の反射光量を個々に検出する光検出領域を配置し、それぞれの検出信号の差を取ってトラックエラー検出信号を得る。
【００８３】
このようなフォーカス制御及びトラック制御により、図示しないサーボシーク制御ユニットからフォーカス信号、トラッキング信号及び送り信号がフォーカス及びトラッキングアクチュエータドライバ並びに送りモータドライバ１４０に送られ、このドライバ１４０によって対物レンズ１３１がフォーカスサーボ制御され、また、トラッキングサーボ制御される。更に、アクセス信号に応じてドライバ１４０から付勢信号が送りモータ１３６に供給されピックアップＰＵが搬送制御される。
【００８４】
又、データ処理ユニット３からの制御信号でスピンドルモータドライバ１４１及びトレーモータドライバ１４２が制御され、スピンドルモータ１３５及びトレーモータ１３３が付勢され、スピンドルモータ１３５が所定回転数で回転され、トレーモータ１３３がトレーを適切に制御することとなる。
【００８５】
データ処理ユニット３に供給されたヘッダ部のデータに対応する再生信号Ｓは、ＣＰＵ１４６に供給される。これによりＣＰＵ１４６は、その再生信号Ｓによりヘッダ部のアドレスとしてのセクタ番号を判断し、アクセスする（データを記録するあるいは記録されているデータを再生する）アドレスとしてのセクタ番号との比較を行うようになっている。
【００８６】
データ処理ユニット３に供給された記録領域のデータに対応する再生信号Ｓは、ＲＡＭ１４８に必要なデータが格納され、再生信号Ｓがこのデータ処理ユニット３で処理されてインタフェース制御部１４５に供給され、例えばパーソナルコンピュータ等の外部装置に再生処理信号が供給される。
【００８７】
このような光ディスク装置Ａにおいて、上述した本発明の第１実施形態乃至第１２実施形態に係るＰＲＭＬ再生信号処理装置の特徴部分が主にデータ処理ユニット３の構成として与えられ、上述した作用効果を発揮するものである。
【００８８】
すなわち、第１実施形態乃至第６実施形態においては、反復パタン検出器２０を用いて主に光ディスクのＶＦＯ部を検出し、この間だけ各制御部の制御値をホールド処理することで、識別性能の劣化を抑制することができる。更に第７実施形態乃至第１２実施形態においては、主にＡＦＣ及びＡＧＣをデジタル回路として設けることで、ＤＡ変換器等を不要としながら高速制御処理を実現する光ディスク装置を提供するものである。
【００８９】
以上詳説した各々の実施形態により、当業者は本発明を実現することができる。しかしこれらの実施形態の様々な変形例が当業者により容易に明かであり、開示された広い意味での原理を発明的な能力をもたなくとも様々な実施形態へと適用することが可能である。このように本発明は、開示された原理と新規な特徴に矛盾しない広範な範囲に及ぶものであり、上述した実施形態に限定されるものではないことは言うまでもない。
【００９０】
【発明の効果】
以上詳述したように本発明によれば、光ディスクのＶＦＯ部を検出する反復パタン検出器を設け、ＶＦＯ部検出時には、ＡＧＣ、等化係数制御、参照レベル制御等の処理をホールドすることにより識別性能の劣化を抑制することが可能な光ディスク装置を提供することができる。
【００９１】
更に本発明によれば、光ピックアップから与えられる再生信号をデジタルによりオフセット処理及びゲイン制御処理を施すことにより、従来のようにアナログ回路のオフセット処理及びゲイン制御処理を行った場合に比べＤＡ変換等を不要として高速制御を行うことができる光ディスク装置を提供するものである。
【図面の簡単な説明】
【図１】本発明に係るＰＲＭＬ再生信号処理装置の第１の実施形態を示すブロック図。
【図２】本発明に係るＰＲＭＬ再生信号処理装置の反復パタン検出器を示すブロック図。
【図３】本発明に係るＰＲＭＬ再生信号処理装置の等化係数制御器を示すブロック図。
【図４】本発明に係るＰＲＭＬ再生信号処理装置の参照レベル制御器を示すブロック図。
【図５】本発明に係るＰＲＭＬ再生信号処理装置のオフセット制御器を示すブロック図。
【図６】本発明に係るＰＲＭＬ再生信号処理装置のゲイン制御器を示すブロック図。
【図７】本発明に係るＰＲＭＬ再生信号処理装置の第２の実施形態を示すブロック図。
【図８】本発明に係るＰＲＭＬ再生信号処理装置の第３の実施形態を示すブロック図。
【図９】本発明に係るＰＲＭＬ再生信号処理装置の第４の実施形態を示すブロック図。
【図１０】本発明に係るＰＲＭＬ再生信号処理装置の第５の実施形態を示すブロック図。
【図１１】本発明に係るＰＲＭＬ再生信号処理装置の第６の実施形態を示すブロック図。
【図１２】本発明に係るデジタルＡＦＣ及びＡＧＣを用いたＰＲＭＬ再生信号処理装置の第７の実施形態を示すブロック図。
【図１３】本発明に係るデジタルＡＦＣ及びＡＧＣを用いたＰＲＭＬ再生信号処理装置の第８の実施形態を示すブロック図。
【図１４】本発明に係るデジタルＡＦＣ及びＡＧＣを用いたＰＲＭＬ再生信号処理装置の第９の実施形態を示すブロック図。
【図１５】本発明に係るデジタルＡＦＣ及びＡＧＣを用いたＰＲＭＬ再生信号処理装置の第１０の実施形態を示すブロック図。
【図１６】本発明に係るデジタルＡＦＣ及びＡＧＣを用いたＰＲＭＬ再生信号処理装置の第１１の実施形態を示すブロック図。
【図１７】本発明に係るデジタルＡＦＣ及びＡＧＣを用いたＰＲＭＬ再生信号処理装置の第１２の実施形態を示すブロック図。
【図１８】本発明に係るＰＲＭＬ再生信号処理を用いた光ディスク装置の一実施形態を示すブロック図。
【図１９】従来のＰＲＭＬ再生信号処理装置を示すブロック図。
【図２０】従来の適応型等化器を示すブロック図。
【図２１】従来の適応型ビタビ復号器の参照レベル制御器を示すブロック図。
【図２２】ＰＲＭＬ再生信号処理装置の動作波形を示すグラフ。
【図２３】ＰＲＭＬ再生信号処理に係る等化信号、理想信号、誤差信号を示すグラフ。
【図２４】反復パタンとランダムデータとを含む再生信号エンベロープを示すグラフ。
【図２５】従来のオフセット制御、ゲイン制御後の再生信号エンベロープと誤差信号ＲＭＳ値を示すグラフ。
【図２６】従来のオフセット制御、ゲイン制御を施した後の、アシンメトリを含む再生信号を示すグラフ。
【符号の説明】
１４  …  ＡＦＣ、  １５  …  ＡＧＣ、  １６  …  適応型等化器
１７  …  適応型ビタビ復号器、  １８  …  理想信号作成部
１９  …  誤差信号算出器、  ２０  …  反復パタン検出器
１０１  …  固定等化器、  １０２  …  固定ビタビ復号器
１０６  …  アナログＡＦＣ、  １０７  …  アナログＡＧＣ
【図１】
0003657901.tif 000002
【図２】
0003657901.tif 000003
【図３】
0003657901.tif 000004
【図４】
0003657901.tif 000005
【図５】
0003657901.tif 000006
【図６】
0003657901.tif 000007
【図７】
0003657901.tif 000008
【図８】
0003657901.tif 000009
【図９】
0003657901.tif 000010
【図１０】
0003657901.tif 000011
【図１１】
0003657901.tif 000012
【図１２】
0003657901.tif 000013
【図１３】
0003657901.tif 000014
【図１４】
0003657901.tif 000015
【図１５】
0003657901.tif 000016
【図１６】
0003657901.tif 000017
【図１７】
0003657901.tif 000018
【図１８】
0003657901.tif 000019
【図１９】
0003657901.tif 000020
【図２０】
0003657901.tif 000021
【図２１】
0003657901.tif 000022
【図２２】
0003657901.tif 000023
【図２３】
0003657901.tif 000024
【図２４】
0003657901.tif 000025
【図２５】
0003657901.tif 000026
【図２６】
0003657901.tif 000027